(57)【要約】【課題】  蓋体の変形やひび割れなどを確実に防止することができ、その上軽量かつ製作が容易でコストを低減することのできる補強部材を備えた炊飯器を提供すること。【解決手段】  内部に内釜６が収容される炊飯器本体１と、後端部がヒンジ部２を介して炊飯器本体１に装着され炊飯器本体１の上部を開閉自在に覆う蓋体１０と、蓋体１０内において蓋体１０の前後方向に固定され後端部がヒンジ部２に軸支された補強部材７０とを備え、この補強部材７０を、後端部がヒンジ部２に軸支されて蓋体１０に固定された一対の後部補強体７１ａ，７１ｂと、後部補強体７１ａ，７１ｂとすき間を隔てて蓋体１０に固定された一対の前部補強体７５ａ，７５ｂとによって構成した。【選択図】        図２
2007075411.tif 000002
【特許請求の範囲】
【請求項１】
内部に内釜が収容される炊飯器本体と、後端部がヒンジ部を介して前記炊飯器本体に装着され該炊飯器本体の上部を開閉自在に覆う蓋体と、該蓋体内において該蓋体の前後方向に固定され後端部が前記ヒンジ部に軸支された軸強部材とを備え、
該補強部材を、後端部が前記ヒンジ部に軸支されて前記蓋体に固定された一対の後部補強体と、該後部補強体とすき間を隔てて前記蓋体に固定された一対の前部補強体とによって構成したことを特徴とする炊飯器。
【請求項２】
前記補強部材を構成する後部補強体と前部補強体とを、蓋体の中央部付近においてオーバーラップさせたことを特徴とする請求項１記載の炊飯器。
【請求項３】
前記後部補強体の前部側又は前部補強体の後部側を、ほぼ中央部から斜め外方若しくは内方に折曲げたのち、該折曲げ部の後部側若しくは前部側とほぼ平行に延出して形成したことを特徴とする請求項２記載の炊飯器。
【請求項４】
前記オーバーラップした後部補強体と前部補強体との間にすき間を設けたことを特徴とする請求項２又は３記載の炊飯器。
【請求項５】
前記後部補強体と前部補強体を蓋体にねじ止めするためのねじ挿通穴を、長手方向の長穴で形成したことを特徴とする請求項１〜４のいずれかに記載の炊飯器。
【請求項６】
前記蓋体を、中蓋と、該中蓋の上面に結合された上蓋と、前記中蓋の下面に着脱可能に装着された内蓋とによって構成し、前記補強部材を前記中蓋の上面に固定したことを特徴とする請求項１〜５のいずれかに記載の炊飯器。
【発明の詳細な説明】
【技術分野】
【０００１】
本発明は、炊飯器に係り、より詳しくは圧力をかけて炊飯を行う炊飯器に関するものである。
【背景技術】
【０００２】
米と水が入れられた内釜の圧力を高めて炊飯を行うことはよく知られているが、このような炊飯器（以下、圧力式炊飯器ということがある）においては、蓋体に大きな圧力が加わるため、合成樹脂製の蓋体が変形したり破損したりすることがある。
【０００３】
このような圧力式炊飯器に、内鍋を収容し一側にヒンジ部を有し他側にロック解除ボタンとストッパーを有する調理器本体と、合成樹脂からなり調理器本体のヒンジ部により開閉自在とした蓋体と、内鍋の上方開口を覆う中蓋と、蓋体の空間部内に配設され一側がヒンジ部に軸止され他側が係止装置に掛止した金属材料からなる補強板と、補強板の他側に軸支され蓋体の閉塞時にストッパーに係止する係止部を有する係止板とを備え、補強板により蓋体の変形を防止するようにしたものがある（例えば、特許文献１参照）。
【０００４】
【特許文献１】特許第２８６９３９０号公報（第３−４頁、図３）
【発明の開示】
【発明が解決しようとする課題】
【０００５】
圧力式炊飯器においては、蓋体は後端部がヒンジ部に枢支され、前端部が係止装置に係止して調理器本体にロックされているため、前後方向の中央部付近が一番変形し易い。
特許文献１の炊飯器においては、補強板はヒンジ部から係止装置まで１本の金属材料で形成されているため、炊飯時に、合成樹脂からなる蓋体と、金属材料からなる補強板との間に熱膨張の差が生じ、このため、蓋体にひび割れなどが生じるおそれがある。
【０００６】
また、補強板は、全長にわたって中央部付近の圧力に抵抗しうる強度（板厚）の材料で形成しなければならないため、ヒンジ部側や係止装置側のほとんど変形するおそれのない部分も、中央部付近と同じ材料で形成することになるので、重量が大きくなるばかりでなく製造が面倒で、コストアップになるという問題もある。
【０００７】
本発明は、上記の課題を解決するためになされたもので、蓋体の変形やひび割れなどを確実に防止することができ、その上軽量かつ製作が容易でコストを低減することのできる補強部材を備えた炊飯器を提供することを目的としたものである。
【課題を解決するための手段】
【０００８】
本発明に係る炊飯器は、内部に内釜が収容される炊飯器本体と、後端部がヒンジ部を介して前記炊飯器本体に装着され該炊飯器本体の上部を開閉自在に覆う蓋体と、該蓋体内において該蓋体の前後方向に固定され後端部が前記ヒンジ部に軸支された軸強部材とを備え、該補強部材を、後端部が前記ヒンジ部に軸支されて前記蓋体に固定された一対の後部補強体と、該後部補強体とすき間を隔てて前記蓋体に固定された一対の前部補強体とによって構成したものである。
【発明の効果】
【０００９】
本発明は、補強部材を後部補強体と前部補強体とに２分割して構成したので、蓋体の変形やひび割れなどを確実に防止することができ、その上軽量かつ製作が容易でコストを低減することができる。
【発明を実施するための最良の形態】
【００１０】
［実施の形態１］
図１は本発明の実施の形態１に係る炊飯器の縦断面図、図２は図１の中蓋の上面図、図３は図１の炊飯器の外観斜視図である。
【００１１】
上部が開口した炊飯器本体１には、一端が後部側（以下の説明では、図１の図の左側を前、右側を後という）に設けたヒンジ部２に枢支され、一部に金属板を有する合成樹脂製の蓋体１０が、炊飯器本体１の上部開口部を開閉自在に覆うように設けられている。
【００１２】
炊飯器本体１内の下部には、ほぼ深皿状のコイル台３が設置されており、その下面及びコーナ面には電磁誘導コイル４が配設されている。５はコイル台３の底部中央部付近に設けられた温度センサで、ばねに付勢されてコイル台３の底部から上方に突出している。
６は上部開口部の外周に設けたフランジ６ａが炊飯器本体１に係止して炊飯器本体１内に収容された内釜で、その下部はコイル台３に近接して位置し、その底面にはばねに付勢された温度センサ５が当接する。
【００１３】
７は炊飯器本体１内において前面側に設けられた制御部、８は炊飯器本体１の前面に設けられた操作部である。９は炊飯器本体１の上部開口部の前面側に設けられ、後述の蓋体１０のフック５５が係止する係合部である。
【００１４】
蓋体１０は、上蓋１１と、その下面に配設された中蓋１２と、中蓋１２の下面に着脱可能に装着されて内釜６の上部開口部を覆う金属板からなる内蓋１３とによって構成されており、中蓋１２の下面には金属板からなる中蓋中間部材１４が固定されている。
上蓋１１の後部側には開口部１６を有し後端部が開口された凹部１５が設けられており、この凹部１５には、下部に有底の筒状部１８が設けられたカートリッジ１７が、筒状部１８を開口部１６に着脱可能に挿入することにより収容されている。なお、１９は筒状部１８の底部に設けた通気孔、２０はカートリッジ１７の上壁に設けた蒸気口である。
【００１５】
また、上蓋１１の前部側に設けられた横長の凹部２１内には、蓋開閉ボタン２３が配設されている。この蓋開閉ボタン２３は、図４に示すように、周壁を有するほぼ楕円形状の本体部２４と、先端部に外方に向う係止爪を有し、長手方向の内壁に沿って立設された左右各一対の係止片２５と、長手方向の両端部近傍において天面から立設された一対のロック棒２６ａ，２６ｂと、中央部において天面から立設された押圧部２７とからなり、ロック棒２６ａ，２６ｂにはばね２８が介装されている。
【００１６】
この蓋開閉ボタン２３は上蓋１１の凹部２１内に挿入され、係止片２５が凹部２１の底部に設けた穴（図示せず）から突出してその係止爪が底面に係止し、ロック棒２６ａ，２６ｂは凹部２１の底部に設けた穴２２から突出し、また、押圧部２７は凹部２１の底部中央部近傍に設けた開口部（図示せず）の上方に位置する。そして、ロック棒２６ａ，２６ｂに設けたばね２８が凹部２１の底部と本体部２４の天面との間に介装され、蓋開閉ボタン２３を上方に付勢している。
【００１７】
中蓋１２の上面のほぼ中央部には、下部が開口し前面側に開口部３１を有するドーム状の弁室３０が設けられており、開口部３１は中央部に弾性体３３が設けられたリング状のシール部材３２により閉塞されている。３４は弁室３０の下部とカートリッジ１７の通気孔１９とを連通する蒸気通路である。
【００１８】
４０はスライド部材で、図５に示すように、開口部４２を有する枠状の本体部４１と、本体部４１の前面側の両側に設けられたロック部４３ａ，４３ｂとによりほぼ品字状に形成されている。そして、本体部４１の後部側には上部が開口し先端部に円板４５を有する円筒部４４が設けられており、円板４５の後面側には突部４６が設けられている。４７は本体部４１の両側下端部に設けられたフランジである。
このスライド部材４０は、フランジ４７及びロック部４３ａ，４３ｂの下面が、中蓋１２の上面に設けたガイド部３５上に、前後方向にスライド自在に配設されている。なお、図示してないが、ガイド部３５の側部には、スライド部材４０が横方向に移動するのを防止するために、複数のガイドが設けられている。
【００１９】
スライド部材４０の本体部４１の開口部４２内には、図６に示すように、ソレノイド５０が配設され、ねじ５１により中蓋１２に固定されている。そして、その可動鉄心５２は円筒部４４内においてスライド部材４０に固定されており、非通電状態においては、図６に示すように前進状態にあり、その先端部は円板４５に近接又は当接している。５３はソレノイド５０のケースとスライド部材４０の円板４５との間において、可動鉄心５２に介装された復帰ばねで、スライド部材４０を前部側に付勢している。
【００２０】
５５は中蓋１２の上面の前端部近傍に設けられたほぼＬ字状のフックで、図７に示すように、水平片５６の両側には軸挿通穴５９を有する支持腕５８ａ，５８ｂが設けられており、長手方向のほぼ中央部の後部側には、水平片５６より上方に位置して蓋開閉ボタン２３の押圧部２７と対向する受け片６０が設けられている。また、垂直片５７の両端部近傍には、炊飯器本体１に設けた係止部９に係止する係止爪６２を備えた一対の係止片６１ａ，６１ｂが設けられている。
【００２１】
このフック５５の支持腕５８ａ，５８ｂの軸挿通穴５９には、支持軸６３が回動自在に嵌入され、支持軸６３は後述の補強部材７０を構成する前部補強体７５ａ，７５ｂにより、その両端部が中蓋１２に固定される。６４は支持軸６３に介装され、一端が中蓋１２に、他端がフック５５に取付けられたばねで、フック５５を常時矢印方向に付勢する。
【００２２】
図２，図８において、７０は中蓋１２の上面に設けられた蓋体１０の補強部材で、各一対の後部補強体７１ａ，７１ｂと前部補強体７５ａ，７５ｂとからなっている。
後部補強体７１ａ，７１ｂは、金属板を曲げ加工して断面ほぼＬ字状に形成され、後端部が中蓋１２の後端付近より突出し、前端部が中蓋１２の前後方向の中間部付近に達する長さであって、中蓋１２の幅方向に近い間隔で後部側が連結部７２により一体的に連結されている。両後部補強体７１ａ，７１ｂの垂直片の後端部近傍には、炊飯器本体１に設けたヒンジ部２のヒンジ軸２ａに回動自在に嵌合されるヒンジ軸挿通穴７３が設けられている。７４は水平片に設けた複数のねじ挿通穴である。
【００２３】
前部補強体７５ａ，７５ｂは、後部補強体７１ａ，７１ｂと同様に金属板を曲げ加工して断面ほぼＬ字状に形成され、長手方向のほぼ中間部から後部側が折曲げ部７６により斜め外側にかつその後部側が前部側とほぼ平行に折曲げられて、その後端部が後部補強体７１ａ，７１ｂの先端部より後部側（例えば、後部補強体７１ａ，７１ｂの長手方向の中間部付近）に達する長さに形成されている。７７は垂直片の下端部内側に設けたフランジである。また、垂直片の前端部付近にはフック５５の支持軸６２が挿通される穴７８が設けられており、水平片には複数のねじ挿通穴７９が設けられている。
【００２４】
次に、上記のように構成した補強部材７０の中蓋１２への取付手順の一例について説明する。
まず、後部補強体７１ａ，７１ｂを、その後端部を中蓋１２の後端から外方に突出させて中蓋１２の上面後部側に載置し、ねじ挿通穴７４に挿通したねじ８０により中蓋１２に固定する。
【００２５】
ついで、先端部の穴７８にフック５５に設けた支持軸６３の両端部が挿入され前部補強体７５ａ，７５ｂを、折曲げ部７６から前部側を後部補強体７１ａ，７１ｂとほぼ同一線上に位置させ、後部側を後部補強体７１ａ，７１ｂの外側に位置させると共に、後部補強体７１ａ，７１ｂの前端部と折曲げ部７６との間にすき間ｇを隔てて中蓋１２の上面前部側に載置し、ねじ挿通穴７９に挿通したねじ８０により中蓋１２に固定する。
【００２６】
これにより、後部補強体７１ａ，７１ｂと前部補強体７５ａ，７５ｂとは、中蓋１２の前後方向の中間部近傍においてオーバーラップする。この場合、後部補強体７１ａ，７１ｂと前部補強体７５ａ，７５ｂのオーバーラップ部分の間に若干すき間ｇ1を設けることが望ましい。また、フック５５に設けた支持軸６３は、前部補強体７５ａ，７５ｂを中蓋１２に固定することにより、中蓋１２に回動不能に固定される。
【００２７】
内蓋１３の中蓋１２に設けた弁室３０の直下には開口部８５が設けられており、この開口部８５には有天円筒状で、その天面が弁室３０の上下方向のほぼ中間部に位置する内筒８６が装着されている。そして、内筒８６の下部開口部には中心部に蒸気通路８８を有する弾性体８７が装着されており、また、天板の中心部には弁孔８９が設けられ、天板の上面の弁孔８９の外周には、後部側が上方に傾斜した弁座９０が形成されている。９１は弁座９０上に位置する調圧ボールである。
【００２８】
上記のように構成した蓋体１０は、中蓋１２の後部補強体７１ａ，７１ｂのヒンジ軸挿通穴７３がヒンジ部２のヒンジ軸２ａに嵌合されて炊飯器本体１に開閉自在に支持され、その上面には上蓋１１が結合され、下面には内蓋１３が着脱可能に装着される。
【００２９】
次に、蓋体１０の動作について説明する。
中蓋１２に設けたソレノイド５０が非通電状態の場合は、図９に示すように、ソレノイド５０の可動鉄心５２は前進しており、可動鉄心５２と一体化されたスライド部材４０も後部側にスライドし、その突部４６が弁室３０の開口部３１に設けた弾性体３３を押圧して弾性変形させ、調圧ボール９１を弁座９０の後部側に移動させて弁孔８９を開放している。
【００３０】
この状態で蓋体１０を閉じると、フック５５の係止爪６２が炊飯器本体１の係止部９に係合し、炊飯器本体１の上部開口部を閉塞してロックする。このとき、蓋開閉ボタン２３の押圧部２７はフック５５の受け片６０に当接又は近接して位置する。また、スライド部材４０のロック部４３ａ，４３ｂは、図１２（ａ）に示すように、蓋開閉ボタン２３のロック棒２６ａ，２６ｂより後部側に位置する。
そして、蓋開閉ボタン２３を圧下すると、押圧部２７が受け片６０を圧下してフック５５を回動させ、係止爪６２が係止部９から離脱するので、蓋体１０はヒンジ部２を軸に開放することができる。
【００３１】
図９の状態で操作部によりソレノイド５０に通電すると、図１０に示すように、可動鉄心５２が後退し、これに連結されたスライド部材４０が前部側に移動して弾性体３３は元の状態に戻り、調圧ボール９１は自重により移動して弁孔８９を閉じる。このとき、前部側に移動したスライド部材４０は、図１２（ｂ）に示すように、そのロック部４３ａ，４３ｂが蓋開閉ボタン２３のロック棒２６ａ，２６ｂの下に移動し、蓋開閉ボタン２３をロックして下降を阻止する。これにより、蓋開閉ボタン２３を圧下することができないので、蓋体１０を開放することができない。
【００３２】
次に、上記のように構成した炊飯器により炊飯する場合について説明する。
所定の米と水が入れられた内釜６を炊飯器本体１内にセットし、蓋体１０を閉じる。圧力をかけて炊飯する場合は、操作部８を操作してソレノイド５０に通電し、図１，図１０に示すように、調圧ボール９１により内筒８６の弁孔８９を閉鎖する。また、図１２（ｂ）に示すように、スライド部材４０により、蓋開閉ボタン２３をロックする。そして、操作部８を操作して電磁誘導コイル４等に通電し、炊飯を開始する。
【００３３】
炊飯中は、内筒８６の弁孔８９が閉鎖されているため、内釜６内に発生した蒸気が漏れることがないので内釜６内の圧力が上昇し、高圧のもとで炊飯が行われる。内釜６内の圧力の上昇により蓋体１０にこれを押上げようとする力が作用するが、蓋体１０はその前後がフック５５とヒンジ部２により炊飯器本体１に固定されているため、蓋体１０の中央部付近に大きな圧力が作用する。
【００３４】
しかしながら、本発明においては、補強部材７０を、蓋体１０の中央部付近において、後部補強体７１ａ，７１ｂと前部補強体７５ａ，７５ｂをオーバーラップさせて二重に設置したので、圧力によって蓋体１０が変形したり破損したりするのを確実に防止することができる。また、後部補強体７１ａ，７１ｂの前端部と前部補強体７５ａ，７５ｂの折曲げ部７６との間にすき間ｇを設けたので、合成樹脂製の蓋体１０と金属板からなる補強部材７０の前後方向の熱膨張差を吸収することができるため、蓋体１０にひび割れなどを生じることがない。
【００３５】
炊飯が終るとソレノイド５０への通電がＯＦＦされて、可動鉄心５２及びスライド部材４０は図９の状態に戻って内筒８６の弁孔８９が開放されるので、内釜６内の高圧蒸気は、内筒８６の弁孔８９から弁室３０を通って、蒸気通路３４、カートリッジ１７の通気穴１９を経て蒸気口２０から外部に放出される。同時に、蓋開閉ボタン２３のロックが解除されるので、蓋体１０を開放することができる。
【００３６】
圧力をかけないで炊飯する場合は、ソレノイド５０に通電せず、図９の状態で電磁誘導コイル４等に通電すればよい。これにより、内釜６に発生した蒸気は、内筒８６の弁孔８９から弁室３０を通って、蒸気通路３４、カートリッジ１７の通気穴１９を経て通気口２０から放出され、炊飯される。
【００３７】
上記の説明では、補強部材７０の前部補強体７５ａ，７５ｂの後部側を折曲げ部７６により外側に折曲げて、後部補強体７１ａ，７１ｂとオーバーラップさせる場合を示したが、前部補強体７５ａ，７５ｂの後部側が後部補強体７１ａ，７１ｂの内側に位置するように折曲げてもよく、あるいは、前部補強体７５ａ，７５ｂを直線状に形成し、後部補強板７１ａ，７１ｂの前部側を前部補強体７５ａ，７５ｂとオーバーラップするように外側又は内側に折曲げてもよい。
【００３８】
以上詳述したように、炊飯器に圧力をかけて炊飯する場合、蓋体１０の中央部付近に大きな圧力が作用するが、本実施の形態においては、蓋体１０の中央部付近において、補強部材７０を構成する後部補強体７１ａ，７１ｂと、前部補強体７５ａ，７５ｂの一部をオーバーラップさせて二重構造としたので、圧力による蓋体１０の変形や損傷などを確実に防止することができる。
【００３９】
また、後部補強体７１ａ，７１ｂの前端部と前部補強体７５ａ，７５ｂの折曲げ部７６との間にすき間ｇを設けたので、合成樹脂製の蓋体１０と金属板製の補強部材７０との前後方向の熱膨張差をこのすき間ｇで吸収できるため、蓋体１０にひび割れなどが発生するのを防止することができる。
【００４０】
さらに、大きな圧力が作用する蓋体１０の中央部付近において、補強部材７０を構成する後部補強体７１ａ，７１ｂと、前部補強体７５ａ，７５ｂをオーバーラップさせて剛性を高めるようにしたので、補強部材７０を比較的板厚の薄い金属板で形成することができる。このため、コストを低減できるばかりでなく、製造が容易でその上軽量化することができる。
また、後部補強体７１ａ，７１ｂと前部補強体７５ａ，７５ｂとのオーバーラップ部分に若干すき間ｇ1を設ければ、炊飯時の蓋体１０と補強部材７０の左右方向の熱膨張差をこのすき間ｇ1で吸収するので、蓋体１０のひび割れなどをより確実に防止することができる。
【００４１】
［実施の形態２］
図１３は本発明の実施の形態２に係る炊飯器の補強部材の斜視図である。なお、実施の形態１の補強部材と同じ部分にはこれと同じ符号を付し、説明を省略する。
本実施の形態は、補強部材７０を構成する後部補強体７１ａ，７１ｂと、前部補強体７５ａ，７５ｂの水平片に設けたねじ挿通穴を、前後方向に長い長穴７４ａ，７９ａで形成したものである。
このように構成したことにより、蓋体１０と補強部材７０の前後方向の熱膨張差をこの長穴７４ａ，７９ａで吸収し、蓋体１０のひび割れなどをより確実に防止することができる。
【００４２】
［実施の形態３］
図１４は本発明の実施の形態３に係る炊飯器の補強部材の斜視図である。なお、実施の形態１の補強部材と同じ部分にはこれと同じ符号を付し、説明を省略する。
実施の形態１では、補強部材７０を構成する後部補強体７１ａ，７１ｂと、前部補強体７５ａ，７５ｂのいずれか一方を途中で折曲げて蓋体１０の前後方向の中央部付近でオーバーラップさせる場合を示したが、本実施の形態においては、後部補強体７１ａ，７１ｂと前部補強体７５ｃ，７５ｄをいずれも直線状に形成したものである。
【００４３】
本実施の形態に係る補強部材７０を中蓋１２に取付けるにあたっては、先ず、中蓋１２の上面後部側に、後部補強体７１ａ，７１ｂをねじ８０により固定する。ついで、中蓋１２の上面前部側に、前部補強体７５ｃ，７５ｄを後部補強体７１ａ，７１ｂとほぼ同一線上に、かつその後端部と後部補強体７１ａ，７１ｂの前端部との間に、若干のすき間ｇを隔ててねじれ８０により固定する。
【００４４】
この場合、後部補強体７１ａ，７１ｂ又は前部補強体７５ｃ，７５ｄのいずれか一方を、中蓋１２の長手方向の中央部をカバーしうる長さとし、他方を短く形成してもよい。また、両補強体７１ａ，７１ｂと７５ｃ，７５ｄの水平片に設けたねじ挿通穴７４ａ，７９ａを、実施の形態２のように長穴としてもよい。
本実施の形態によれば、炊飯中に蓋体１０に作用する圧力による蓋体１０の変形や破損を防止することができ、また、蓋体１０と補強部材７０の前後方向の熱膨張差をすき間ｇで吸収するので、蓋体１０にひび割れなどが生じることもない。
【図面の簡単な説明】
【００４５】
【図１】本発明の実施の形態１に係る炊飯器の縦断面図である。
【図２】図１の中蓋の斜視図である。
【図３】図１の炊飯器の外観斜視図である。
【図４】図１の蓋開閉ボタンの斜視図である。
【図５】図１のスライド部材の斜視図である。
【図６】スライド部材にソレノイドを取付けた状態を示す平面図である。
【図７】図１のフックの斜視図である。
【図８】図２の補強部材の斜視図である。
【図９】スライド部材の作用説明図である。
【図１０】スライド部材の作用説明図である。
【図１１】スライド部材と蓋開閉ボタンとの位置関係を示す説明図である。
【図１２】蓋開閉ボタンに対するスライド部材の作用説明図である。
【図１３】本発明の実施の形態２に係る炊飯器の補強部材の斜視図である。
【図１４】本発明の実施の形態３に係る炊飯器の補強部材の斜視図である。
【符号の説明】
【００４６】
１  炊飯器本体、２  ヒンジ部、６  内釜、９  係止部、１０  蓋体、１１  上蓋、１２  中蓋、１３  内蓋、１７  カートリッジ、２３  蓋開閉ボタン、２６ａ，２６ｂ  ロック棒、３０  弁室、３３  弾性体、４０  スライド部材、４３ａ，４３ｂ  ロック部、５０  ソレノイド、５２  可動鉄心、５５  フック、７０  補強部材、７１ａ，７１ｂ  後部補強体、７５ａ，７５ｂ  前部補強体、７６  折曲げ部、７４ａ，７９ａ  長穴、８６  内筒、８９  弁孔、９０  弁室、９１  調圧ボール。
【図１】
2007075411.tif 000003
【図２】
2007075411.tif 000004
【図３】
2007075411.tif 000005
【図４】
2007075411.tif 000006
【図５】
2007075411.tif 000007
【図６】
2007075411.tif 000008
【図７】
2007075411.tif 000009
【図８】
2007075411.tif 000010
【図９】
2007075411.tif 000011
【図１０】
2007075411.tif 000012
【図１１】
2007075411.tif 000013
【図１２】
2007075411.tif 000014
【図１３】
2007075411.tif 000015
【図１４】
2007075411.tif 000016